(57)【要約】 【課題】スポット光を照射する際に、どのような光を照射するかをユーザ自身が毎回判断することなく、適切な光を照射できるようにする。 【解決手段】中央制御部１１は、スポット光の照射対象となる図データに対応付けてその照射状態の種類を指定する照射種ＩＤが照射制御テーブルＣＴに記憶管理されていると共に、この図データが表示部１７に表示出力されている状態において、この図データに対応する照射種ＩＤに基づいて光照射部１９を制御してスポット光を照射させる。 【選択図】  図１
2008129219.tif 000002
【特許請求の範囲】
【請求項１】
外部表示媒体上に表示されているデータを指し示すスポット光を照射するポインティング装置であって、
前記スポット光の照射対象に対応付けてその照射状態の種類を指定する照射種指定情報を記憶管理する指定情報記憶手段と、
前記スポット光の照射対象を表示する表示手段と、
この表示手段に照射対象が表示されている状態において、当該照射対象に対応する前記照射種指定情報に基づいて前記スポット光の照射状態を制御する制御手段と、
を具備したことを特徴とするポインティング装置。
【請求項２】
前記外部表示媒体上に表示されるデータを外部取得する取得手段と、
この取得手段によって得られたデータの中から前記照射対象を任意に選択指定する第１の選択手段と、
前記照射種指定情報を任意に選択指定する第２の選択手段と、
を設け、前記第１の選択手段によって選択指定された前記照射対象に対応付けて前記第２の選択手段によって選択指定された前記照射種指定情報を前記指定情報記憶手段に記憶させる、ようにしたことを特徴とする請求項１記載のポインティング装置。
【請求項３】
前記外部表示媒体上に表示されるデータを管理する外部管理装置との間でデータ通信を行うことにより、前記外部表示媒体上に表示されているデータを前記表示手段に照射対象として表示させる、
ようにしたことを特徴とする請求項１記載のポインティング装置。
【請求項４】
前記表示手段に照射対象が表示される際に、当該照射対象に対応して前記照射種指定情報が前記指定情報記憶手段に記憶されているか否かを判別する判別手段を設け、
この判別手段による判別の結果、照射種指定情報が記憶されていれば、照射種指定情報の変更を受け付け、記憶されていなければ、照射種指定情報の新規設定を受け付ける、
ようにしたことを特徴とする請求項１記載のポインティング装置。
【請求項５】
前記照射種指定情報は、スポット光の照射状態として、スポット光の形状・色・点滅パターンのうち、少なくともその何れかの種類を指定する情報であり、
前記制御手段は、照射種指定情報に基づいてスポット光の形状・色・点滅パターンのうち、少なくともその何れかを制御する、
ようにしたことを特徴とする請求項１記載のポインティング装置。
【請求項６】
前記表示手段に照射対象が表示される際に、前記スポット光の照射対象を指定する複数の照射種指定キーのうち、この照射対象に対応する照射種指定情報に基づいて当該照射種指定キーを明示する、
ようにしたことを特徴とする請求項１記載のポインティング装置。
【請求項７】
前記照射種指定キーの明示に応答して当該キーが操作された際に、前記制御手段は、その照射種に応じたスポット光を照射する、
ようにしたことを特徴とする請求項１記載のポインティング装置。
【請求項８】
コンピュータに対して、
外部表示媒体上に表示されているデータを指し示すスポット光の照射対象に対応付けてその照射状態の種類を指定する照射種指定情報を記憶管理する機能と、
照射対象を表示する機能と、
照射対象が表示されている状態において、当該照射対象に対応する前記照射種指定情報に基づいて前記スポット光の照射状態を制御する機能と、
を実現させるためのプログラム。
【発明の詳細な説明】
【技術分野】
【０００１】
この発明は、外部表示媒体上に表示されているデータを指し示すスポット光を照射するポインティング装置及びプログラムに関する。
【背景技術】
【０００２】
一般に、プレゼンテーションにおいてプロジェクタによってスクリーン上に図形、写真などのデータを投影させて参加者に対してその説明を行う際には、レーザ光を照射するレーザポインタなどのポインティング装置を使用してスクリーン上のデータを部分的（スポット的）に指し示しながら行うようにしている。そして、従来では、スポット光の形状・色・点滅パターンなどを任意に変更可能としたポインティング装置が知られている。例えば、特許文献１には、円などの曲線に限らず、簡単な文字、図形などをスクリーン（投影面）上に表示可能としたレーザポインタが開示されている。
【特許文献１】特開平０６−２８１８８２号公報
【発明の開示】
【発明が解決しようとする課題】
【０００３】
この種のポインティング装置にあっては、スポット光の形状・色・点滅パターンなどを適宜変更することによってその照射対象データを強調し、参加者の注意を喚起することができるが、レーザ光を照射する際に、図形などの照射対象データの重要性、緊急性などを考慮し、どのような種類の光を照射するかを説明者自身が判断して、その種類を選択するようにしていた。しかしながら、照射対象データが出現する毎に、その判断を行わなければならず、説明者に大きな負担をかけると共に、毎回適切な判断ができるとは限らない。また、同じ資料を使って何回もプレゼンテーションを繰り返すような場合には、その都度、同様の判断を行う必要があるが、その判断が前回と異なってしまうこともあった。
【０００４】
この発明の課題は、スポット光を照射する際に、どのような光を照射するかをユーザ自身が毎回判断することなく、適切な光を照射できるようにすることである。
【課題を解決するための手段】
【０００５】
請求項１記載の発明は、外部表示媒体上に表示されているデータを指し示すスポット光を照射するポインティング装置であって、前記スポット光の照射対象に対応付けてその照射状態の種類を指定する照射種指定情報を記憶管理する指定情報記憶手段と、前記スポット光の照射対象を表示する表示手段と、この表示手段に照射対象が表示されている状態において、当該照射対象に対応する前記照射種指定情報に基づいて前記スポット光の照射状態を制御する制御手段とを具備したことを特徴とする。
更に、コンピュータに対して、上述した請求項１記載の発明に示した主要機能を実現させるためのプログラムを提供する（請求項８記載の発明）。
【０００６】
なお、上述した請求項１記載の発明は次のようなものであってもよい。
前記外部表示媒体上に表示されるデータを外部取得する取得手段と、この取得手段によって得られたデータの中から前記照射対象を任意に選択指定する第１の選択手段と、前記照射種指定情報を任意に選択指定する第２の選択手段とを設け、前記第１の選択手段によって選択指定された前記照射対象に対応付けて前記第２の選択手段によって選択指定された前記照射種指定情報を前記指定情報記憶手段に記憶させる（請求項２記載の発明）。
【０００７】
前記外部表示媒体上に表示されるデータを管理する外部管理装置との間でデータ通信を行うことにより、前記外部表示媒体上に表示されているデータを前記表示手段に照射対象として表示させる（請求項３記載の発明）。
【０００８】
前記表示手段に照射対象が表示される際に、当該照射対象に対応して前記照射種指定情報が前記指定情報記憶手段に記憶されているか否かを判別する判別手段を設け、この判別手段による判別の結果、照射種指定情報が記憶されていれば、照射種指定情報の変更を受け付け、記憶されていなければ、照射種指定情報の新規設定を受け付ける（請求項４記載の発明）。
【０００９】
前記照射種指定情報は、スポット光の照射状態として、スポット光の形状・色・点滅パターンのうち、少なくともその何れかの種類を指定する情報であり、前記制御手段は、照射種指定情報に基づいてスポット光の形状・色・点滅パターンのうち、少なくともその何れかを制御する（請求項５記載の発明）。
【００１０】
前記表示手段に照射対象が表示される際に、前記スポット光の照射対象を指定する複数の照射種指定キーのうち、この照射対象に対応する照射種指定情報に基づいて当該照射種指定キーを明示する（請求項６記載の発明）。
【００１１】
前記照射種指定キーの明示に応答して当該キーが操作された際に、前記制御手段は、その照射種に応じたスポット光を照射する（請求項７記載の発明）。
【発明の効果】
【００１２】
この発明は、スポット光を照射する際に、どのような光を照射するかをユーザ自身が毎回判断することなく、照射対象毎に適切な光を照射することができる。
【発明を実施するための最良の形態】
【００１３】
（実施例１）
以下、図１〜図８を参照して本発明の第１実施例を説明する。
この実施例は、ポインティング装置としてレーザポインタ機能を備えた携帯電話装置１に適用した場合におけるプロジェクタシステムを示したシステム構成図である。
レーザポインタ機能付き携帯電話装置１は、プレゼンテーションにおいてプロジェクタ２によってスリーン（外部表示媒体）３上に図形などのデータを投影させてその参加者に対して説明を行う際に、レーザ光を照射してスクリーン３上のデータを部分的（スポット的）に指し示すもので、説明者は、自己が所持している携帯電話装置１をレーザポインタとして使用しながらプレゼンテーションを進行するようにしている。この場合、スポット光の形状・色・点滅パターンは、任意に変更可能となっている。
【００１４】
プロジェクタ２は、液晶パネルを備え、スクリーン３上にデータを投影させて拡大表示させるもので、スクリーン３の前面から投影する方式に限らず、その背面から投影する方式であってもよい。スクリーン３は、前面投影方式の場合には反射型スクリーンを使用し、背面投影方式の場合には透過型スクリーンを使用している。ＰＣ（パーソナルコンピュータ、外部管理装置）４は、プロジェクタ２にケーブル接続されており、プレゼンテーション用の資料となるデータを作成して記憶管理するアプリケーションソフトを有し、この資料データをプロジェクタ２に転送することによってスリーン３上にデータを投影させる。また、ＰＣ４は、近距離通信機能を備えており、スリーン３上に表示されるデータをレーザポインタ機能付き携帯電話装置１にも転送するようにしている。この場合、携帯電話装置１とＰＣ４との間では、近距離通信（Bluetooth通信あるいは赤外線通信）方式に従ってデータ転送を行うようにしている。
【００１５】
また、携帯電話装置１は、例えば、２つの筐体（操作部筐体１Ｋ、表示部筐体１Ｄ）が開閉可能に取り付けられた折り畳み自在なもので、操作部筐体１Ｋに対して表示部筐体１Ｄを開いた状態において、表示部筐体１Ｄの上側端部には、レーザ発射口１Ｆが設けられており、携帯電話装置１をレーザポインタとして機能させる場合には、装置本体を開いた状態で使用するようにしている。なお、携帯電話装置１は、折り畳み型に限らず、スライド型、回転２軸型などであってもよく、そのデザインは任意である。
【００１６】
図２は、レーザポインタ機能付き携帯電話装置１の基本的な構成要素を示したブロック図である。
携帯電話装置１は、通話機能、電子メール機能、インターネット接続機能（Ｗｅｂアクセス機能）などのほか、レーザポインタ機能が備えられている。中央制御部１１は、ＲＯＭ１２内の各種のプログラムに応じてこの携帯電話装置の全体動作を制御する。ＲＯＭ１２のプログラム領域には、後述する図６〜図８に示す動作手順に応じて本実施例を実現するためのプログラムが格納されている。ＲＡＭ１３は、例えば、ワーク領域を有する内部メモリで、後述する照射制御テーブルＣＴ、照射種テーブルＫＴ、自動照射フラグＦＧなどが設けられている。なお、ＲＡＭ１３の内容は、必要に応じて不揮発性メモリ（例えば、フラッシュメモリ）にセーブされる。外部記憶媒体１４は、挿着部１５を介して着脱自在に挿着可能となっており、例えば、ＳＤカード、ＩＣカードなどによって構成されている。
【００１７】
無線通信送受信部１６は、ベースバンド部の受信側から信号を取り込んで受信ベースバンド信号に復調し、また、マイク入力された音声データを送信ベースバンド信号に符号化して送信出力させる。一方、電子メール機能、インターネット接続機能によって無線通信送受信部１６を介して受信取得した表示データは、表示部１７に与えられて表示出力される。操作部１８は、ダイヤル入力、文字入力、コマンド入力などを行うもので、中央制御部１１は、操作部１８からのキー入力信号に応じた処理を実行する。なお、携帯電話装置１がレーザポインタとして機能している状態では、操作部１８上の所定キーは、レーザ光の発射を指示するレーザ照射キーなどとして使用される。
【００１８】
光照射部１９は、レーザポインタ機能を構成するもので、半導体レーザを有し、この半導体レーザからのレーザ光を集光して光ビームとして照射する。そして、この光照射部１９は、プロジェクタ２によってスリーン３上に投影されているデータを指し示すスポット光の形状・色・点滅パターンを任意に変更可能となっている。この場合、中央制御部１１の制御下で光照射部１９は、例えば、レーザビームを反射する反射ミラーを移動させてスポット光の形状を変化させたり、色フィルタを交換したり、点滅速度を変化させることによってスポット光の形状・色・点滅パターンを変更するようにしている。近距離通信部２０は、ＰＣ４との間でデータの送受信を行うもので、中央制御部１１は、当該通信部２０を介してプレゼンテーション用の各種の資料データを受信取得する。
【００１９】
図３は、照射制御テーブルＣＴを説明するための図である。
照射制御テーブルＣＴは、ＰＣ４との間で近距離通信を介して取り込んだプレゼンテーション用の資料データを資料別に記憶管理するもので、「資料番号」、「資料ＩＤ」、「資料名」、「ページ番号」、「図番号」、「図データ」、「照射種ＩＤ」の各項目を有している。「資料番号」は、照射制御テーブルＣＴの資料データに割り当てられた一連Ｎｏであり、「資料ＩＤ」は、ＰＣ４側で付された資料識別情報である。「資料ＩＤ」、「ページ番号」、「図番号」は、どの資料の何ページ目の何図であるかを階層的に特定するためのデータ識別情報である。「図データ」は、実際のデータであり、この「図データ」に対応して記憶されている「照射種ＩＤ」は、どのような種類のスポット光を照射するかを示す照射種指定情報であり、スポット光の形状・色・点滅パターンを特定するほか、対応する「図データ」がスポット光を照射する対象データであることを示している。
【００２０】
すなわち、「図データ」に対応して「照射種ＩＤ」が記憶されていれば、当該図データは、照射対象データとなり、この「照射種ＩＤ」で示される種類のスポット光で当該データが照射される。例えば、図１に示すように、スクリーン３上に“棒グラフ”と“円グラフ”が投影されている状態において、「資料番号」が“００１”、「ページ番号」が“０１”、「図番号」が“１”で示される「図データ」が図１に示す“棒グラフ”であり、また、「資料番号」が“００１”、「ページ番号」が“０１”、「図番号」が“２”で示される「図データ」が図１に示す“円グラフ”であれば、図３に示すように、“棒グラフ”には、「照射種ＩＤ」は、記憶されてはいないが、“円グラフ”には、「照射種ＩＤ」が記憶されているので、１ページ目では、この“円グラフ”が照射対象データとなり、図１に示すように、表示部１７には当該“円グラフ”が照射対象データとして案内表示される。
【００２１】
また、「照射種ＩＤ」は、Ａ群、Ｂ群、Ｃ群の３つのＩＤを組み合わせた構成となっており、Ａ群は、光の形状を示し、Ｂ群は光の色を示し、Ｃ群は点滅パターンを示している。図４は、照射種テーブルＫＴを説明するための図で、この照射種テーブルＫＴは、照射種の内容とその照射種ＩＤとの対応を示す構成となっている。例えば、「形状」の種類を示す“円”、“楕円”、“星型”には、「照射種ＩＤ」として“Ａ１”、“Ａ２”、“Ａ３”が対応付けられ、「色」の種類を示す“赤”、“青”、“緑”には、「照射種ＩＤ」として“Ｂ１”、“Ｂ２”、“Ｂ３”が対応付けられ、「点滅パターン」の種類を示す“常時点灯”、“ゆっくり点滅”、“早く点滅”には、「照射種ＩＤ」として“Ｃ１”、“Ｃ２”、“Ｃ３”が対応付けられている。
【００２２】
図５は、操作部１８上に配置されている各キーのうちその一部を示し、携帯電話装置１をレーザポインタとして使用している場合における各キーの機能を説明するための図である。メニューキーＫ１は、メニュー画面を表示させるもので、メニュー画面の中から「レーザポインタ」が選択されてポインタモードに切り替えられた状態において、例えば、電話帳キーは、レーザ照射キーＫ２として機能し、ダイヤルキーの一部は、照射種指定キーＫ３として機能する。このポインタモードにおいては、後述する「受信モード」、「記録モード」、「再生モード」を選択するためのメニュー画面が表示出力される。ここで、カーソルキーＫ４を操作して任意のモードを選択して決定キーＫ５を操作すると、当該選択モードに応じた動作が実行開始される。なお、各照射種指定キーＫ３は、半透明のキートップを有し、その下側には発光ダイオード（図示せず）が配置されており、この発光ダイオードが選択的に点灯されることによって当該キーを明示するようにしている。
【００２３】
次に、この第１実施例における携帯電話装置１の動作概念を図６〜図８に示すフローチャートを参照して説明する。ここで、これらのフローチャートに記述されている各機能は、読み取り可能なプログラムコードの形態で格納されており、このプログラムコードにしたがった動作が逐次実行される。また、伝送媒体を介して伝送されてきた上述のプログラムコードに従った動作を逐次実行することもできる。このことは後述する他の実施例においても同様であり、記録媒体のほかに、伝送媒体を介して外部供給されたプログラム／データを利用してこの実施例特有の動作を実行することもできる。
なお、図６〜図８は、携帯電話装置１の全体動作のうち、本実施例の特徴部分であるレーザポインタ機能の動作概要を示したフローチャートであり、この図６〜図８のフローから抜けた際には、全体動作のフロー（図示省略）に戻る。
【００２４】
図６は、メニューキーＫ１によって「レーザポインタ」が選択指定された際に実行開始されるレーザポインタ機能の全体動作を示したフローチャートである。
先ず、中央制御部１１は、メニュー画面の中から「レーザポインタ」が選択されてポインタモードに切り替えられた状態において、表示部１７に「受信モード」、「記録モード」、「再生モード」を選択するためのメニュー画面が表示出力させる（ステップＡ１）。ここで、カーソルキーＫ４を操作して任意のモードを選択して決定キーＫ５を操作すると（ステップＡ２）、選択されたモードは「受信モード」であるか（ステップＡ３）、「記録モード」であるか（ステップＡ６）、「再生モード」であるかを判別する（ステップＡ８）。
【００２５】
いま、レーザポインタ機能のメニュー画面の中から「受信モード」が選択された状態において（ステップＡ３でＹＥＳ）、中央制御部１１は、近距離通信部２０を介してＰＣ４からプレゼンテーション用の資料データを受信すると（ステップＡ４）、この資料データを照射制御テーブルＣＴに新規データとして追加記憶させる（ステップＡ５）。この場合、資料データには「資料ＩＤ」が付加されているので、照射制御テーブルＣＴには、「資料番号」、「資料ＩＤ」に対応して、「資料名」、「ページ番号」、「図番号」、「図データ」が新規登録される。以下、資料データを受信する毎に、照射制御テーブルＣＴには当該資料データが蓄積される。
【００２６】
このようにして資料データを受信取得して記憶管理している状態において、メニュー画面の中から「記録モード」が選択されると（ステップＡ６でＹＥＳ）、記録モード処理の実行に移る（ステップＡ７）。この記録モードについては、後で詳述するが、照射制御テーブルＣＴに照射種ＩＤを設定記録しながら当該照射種ＩＤに応じたスポット光を照射する動作モードである。また、「再生モード」が選択されると（ステップＡ８でＹＥＳ）、再生モード処理の実行に移る（ステップＡ９）。この再生モードについても、後で詳述するが、照射制御テーブルＣＴの内容に応じたスポット光を照射する動作モードである。
【００２７】
すなわち、記録モードと再生モードは、レーザ光を照射する点については同様であるが、記録モードは、ユーザ操作などによって任意の照射種を選択してレーザ光を照射すると同時に、その照射種ＩＤの記録も併せて行う動作モードであるために最初のプレゼンテーション時には、この記録モードを使用するが、２回目以降のプレゼンテーション時には、照射種ＩＤを設定する必要がないので、再生モードを使用するようにしている。なお、終了操作が行われた際には（ステップＡ１０でＹＥＳ）、このフローの終了となり、レーザポインタ機能が解除される。
【００２８】
図７は、記録モード処理（図６のステップＡ７）を詳述するためのフローチャートである。
先ず、中央制御部１１は、操作部１８から図指定操作が行われたか（ステップＢ１）、近距離通信部２０を介してＰＣ４から図指定信号を受信したかを判別する（ステップＢ２）。ここで、図指定操作は、スクリーン３上に投影されている図データと同じデータを表示部１７に表示させるための操作であり、スクリーン３上の図データはどの資料のどのページの何図に該当するかを確認したユーザは、そのデータを指定するための図指定操作を行う。中央制御部１１は、この操作に応答して照射制御テーブルＣＴから該当する図データを読み出して表示部１７に拡大表示させる（ステップＢ３）。これによって、スクリーン３上に投影されている図データと同一のデータが表示部１７に表示出力されることになる。
【００２９】
また、ＰＣ４からの図指定信号は、スクリーン３上の図データと同じデータをＰＣ４に連動して表示部１７に自動的に表示させるために、どの資料のどのページの何図であるかを示す信号であり、中央制御部１１は、ＰＣ４から図指定信号を受信すると（ステップＢ２でＹＥＳ）、照射制御テーブルＣＴから該当する図データを読み出して表示部１７に拡大表示させる（ステップＢ３）。この場合、ＰＣ４は、スクリーン３上に表示させている図データを判別し、その「資料ＩＤ」＋「ページ番号」＋「図番号」からなる図指定信号を生成して送信する。これによって、スクリーン３上に投影されている図データと同一のデータが表示部１７に表示出力されることになる。
【００３０】
そして、中央制御部１１は、照射制御テーブルＣＴを参照し、指定された図データに対応して照射種ＩＤが記憶されているか否かを調べ（ステップＢ４）、記憶されていれば、この照射種ＩＤを読み出すと共に（ステップＢ５）、その種類に対応する照射種指定キーＫ３を点灯させて現在設定されている照射種を明示する（ステップＢ６）。ここで、ユーザ操作によって当該照射種の変更が指示されたかを判別し（ステップＢ７）、変更指示がなければ、ステップＢ１２に移り、この照射種ＩＤに応じて光照射部１９を制御し、反射ミラーを移動させてスポット光の形状を変化させたり、色フィルタを交換したり、点滅速度を変化させる。このようにしてスポット光の形状・色・点滅パターンを変更する準備が完了すると、光照射部１９からスポット光を照射させる（ステップＢ１３）。
【００３１】
また、当該照射種の変更がユーザ指示された場合には（ステップＢ７でＹＥＳ）、何れかの照射種指定キーＫ３が操作されたかを調べ（ステップＢ８）、照射種指定キーＫ３が操作されると、今回新たに指定された照射種ＩＤを当該図データに対応して上書き記憶することによって照射種ＩＤを変更する（ステップＢ９）。そして、変更後の照射種ＩＤを読み出し（ステップＢ１０）、その種類に対応する照射種指定キーＫ３を点灯させて現在設定されている照射種を明示する（ステップＢ１１）。以下、この照射種ＩＤに応じて光照射部１９を制御したのち （ステップＢ１２）、光照射部１９からスポット光を照射させる（ステップＢ１３）。
【００３２】
一方、照射種ＩＤが記憶されていなければ（ステップＢ４でＮＯ）、上述のステップＢ８に移り、何れかの照射種指定キーＫ３の操作に応答して、今回指定された照射種ＩＤを当該図データに対応して新規設定（記憶）する（ステップＢ９）。そして、今回指定の照射種ＩＤを読み出し（ステップＢ１０）、該当する照射種指定キーＫ３を点灯させると共に（ステップＢ１１）、この照射種に応じて光照射部１９を制御したのち（ステップＢ１２）、光照射部１９からスポット光を照射させる（ステップＢ１３）。以下、記録モードの終了操作が行われるまで（ステップＢ１４でＹＥＳ）、最初のステップＢ１に戻り、上述の動作が繰り返される。
【００３３】
図８は、再生モード処理（図６のステップＡ９）を詳述するためのフローチャートである。
先ず、中央制御部１１は、上述の場合と同様に、スクリーン３上に投影されている図データと同じデータを表示部１７に表示させるために、操作部１８から図指定操作が行われたか（ステップＣ１）、近距離通信部２０を介してＰＣ４からの図指定信号を受信したかを判別し（ステップＣ２）、図指定操作あるいは図指定信号の受信に応答して照射制御テーブルＣＴから該当する図データを読み出して表示部１７に拡大表示させる（ステップＣ３）。そして、照射制御テーブルＣＴからその図データに対応する照射種ＩＤを読み出し（ステップＣ４）、この照射種に応じて光照射部１９を制御し、反射ミラーを移動させてスポット光の形状を変化させたり、色フィルタを交換したり、点滅速度を変化させる（ステップＣ５）。このようにしてスポット光の形状・色・点滅パターンを変更する準備が完了すると、その種類の照射種指定キーＫ３を点灯させて現在設定されている照射種を明示する（ステップＣ６）。
【００３４】
そして、中央制御部１１は、自動照射フラグＦＧを参照し、その“ＯＮ／ＯＦＦ”をチェックする（ステップＣ７）。この自動照射フラグＦＧは、表示部１７に照射対象の図データが表示出力されている状態において、その照射種ＩＤに応じたスポット光を照射する際に、自動的に照射するか、ユーザ操作に応じて照射するかを示すもので、それが“ＯＮ”されていれば（ステップＣ７でＹＥＳ）、光照射部１９から照射種ＩＤに応じたスポット光を自動照射させるが（ステップＣ８）、“ＯＦＦ”されていれば（ステップＣ７でＮＯ）、ユーザ操作の待ち状態となる（ステップＣ１０）。この状態において、レーザ照射キーＫ２が操作されると、この照射種ＩＤに応じたスポット光を照射させる（ステップＣ８）。以下、再生モードの終了操作が行われるまで（ステップＣ９でＹＥＳ）、最初のステップＣ１に戻り、上述の動作が繰り返される。
【００３５】
以上のように、この第１実施例において中央制御部１１は、スポット光の照射対象となる図データに対応付けてその照射状態の種類を指定する照射種ＩＤが照射制御テーブルＣＴに記憶管理されていると共に、この図データが表示部１７に表示出力されている状態において、この図データに対応する照射種ＩＤに基づいて光照射部１９を制御してスポット光を照射させることにより、スポット光を照射する際に、手元で照射対象のデータを確認することができるほか、どのような光を照射するかをユーザ自身が毎回判断することなく、照射対象毎に適切な光を照射することができ、同じ資料を使って何回もプレゼンテーションを繰り返したとしても、前回と同様の照射制御が可能となる。
【００３６】
中央制御部１１は、スクリーン３上に表示されるプレゼンテーション用の資料として各種の図データをＰＣ４から受信取得して照射制御テーブルＣＴに記憶管理することによって、プレゼンテーション用の資料を容易に取得することができるほか、この照射制御テーブルＣＴ内の各図データの中からその重要性、緊急性などを考慮して照射対象の図データを選択指定すると共に、どのような種類の光を照射するかを選択指定するだけで、この図データと照射種ＩＤとを対応付けて照射制御テーブルＣＴに記録することが可能となる。これによって、最初のプレゼンテーション時に記録モードを使用して図データと照射種ＩＤとを対応付けて照射制御テーブルＣＴに記録しておけば、２回目以降のプレゼンテーション時には、再生モードを使用することができる。
【００３７】
中央制御部１１は、近距離通信部２０を介してＰＣ４から図指定信号を受信することにより、ユーザ操作によらず、スクリーン３上に表示されている照射対象データを自動的に表示部１７に表示出力させることができる。この場合、ＰＣ４は、スクリーン３上に表示させている図データを判別し、その「資料ＩＤ」＋「ページ番号」＋「図番号」からなる図指定信号を生成して送信するので、スクリーン３上の図データを表示部１７にも表示させることができる。
【００３８】
表示部１７に図データを表示させた際に、中央制御部１１は、照射制御テーブルＣＴを参照し、この図データに対応して照射種ＩＤが記憶されているかを判別し、記憶されていれば、今回新たに指定された照射種ＩＤを変更前の照射種ＩＤに上書き記憶することによって自由に照射種ＩＤを変更することができ、また、照射種ＩＤが記憶されていなければ、今回指定された照射種ＩＤを当該図データに対応して新規設定することにより、どのような種類の光を照射するかを決めていない図データがあれば、その設定を後で自由に行うことができる。
【００３９】
照射種ＩＤは、スポット光の照射状態として、スポット光の形状・色・点滅パターンの種類を指定する情報であり、中央制御部１１は、照射種ＩＤに基づいてスポット光の形状・色・点滅パターンを制御することにより、それらを任意に組み合わせることができ、注意喚起力の高い光、刺激をしない穏やかな光など、多彩な光を照射することが可能となる。勿論、光の形状のみを変化させたり、色のみを変化させたり、点滅速度のみを変化させたりしても、注意喚起力などに強弱をつけることが可能となる。
【００４０】
表示部１７に図データを表示させた際に、中央制御部１１は、この図データに対応する照射種ＩＤを照射制御テーブルＣＴから読み出し、その種類に対応する照射種指定キーＫ３を点灯させて現在設定されている照射種を明示することにより、手元で照射対象のデータがどのような状態で照射されるかを確認することができる。この場合、点灯されている照射種指定キーＫ３が操作された際に、その照射種に応じたスポット光を照射することにより、どのような状態で照射されるかを確認した上で照射を開始することができる。この場合、他の照射種への変更を希望する場合には、その変更をユーザ指示するようにすればよい。
【００４１】
上述した第１実施例において記録モード下では、照射制御テーブルＣＴに照射種ＩＤを設定記録しながらこの照射種ＩＤに応じたスポット光を照射するようにしたが、この記録モード下では照射種ＩＤの設定のみを行い、その設定内容に応じた実際の光照射を省略するようにしてもよい。この場合、記録モードにおいて、設定された照射種を確認可能とするために表示部１７上でその照射状態をシミュレーション表示するようにしてもよい。
また、図３で「図データ」として実際のデータを記憶したが、実際のデータを別のテーブルに記憶し、その記憶されている実際のデータを識別する識別情報（記憶されている場所を示す記憶アドレスや実際のデータに一意に付加されたＩＤなど）を図３の「図データ」として記憶するようにしてもよい。
【００４２】
（実施例２）
以下、この発明の第２実施例について図９〜図１１を参照して説明する。
なお、上述した第１実施例においては、照射対象として図データを単位としたが、この第２実施例においては、ページを単位としたものである。
ここで、両実施例において基本的あるいは名称的に同一のものは、同一符号を付して示し、その説明を省略すると共に、以下、第２実施例の特徴部分を中心に説明するものとする。
【００４３】
図９は、第２実施例における照射制御テーブルＣＴを説明するための図である。
照射制御テーブルＣＴは、上述した第１実施例と同様に、ＰＣ４との間で近距離通信を介して取り込んだプレゼンテーション用の資料データを資料別に記憶管理するものであるが、この第２実施例では、「図番号」の項目は設けられておらず、また、「図データ」に代わって「ページデータ」の項目が設けられている。「ページデータ」は、１ページ分全体のデータを示し、この「ページデータ」に対応して照射種ＩＤが記憶されていれば、その「ページデータ」は、照射対象データであることを示している。なお、図示の例では、「資料番号」が“００１”の１ページ目と３ページ目、……を照射対象とした場合である。
【００４４】
図１０は、第２実施例においてレーザポインタ機能の全体動作を示したフローチャートである。
先ず、中央制御部１１は、プレゼンテーション用の資料データを受信することを要求するデータ受信要求を、近距離通信部２０を介してＰＣ４から受信したか否かをチェックし（ステップＤ１）、この受信要求を受け取ると、近距離通信部２０を介してＰＣ４から送信される当該資料データを受信して（ステップＤ２）、照射制御テーブルＣＴに新規データとして追加記憶させる（ステップＤ３）。この場合、資料データには「資料ＩＤ」が付加されているので、照射制御テーブルＣＴには、「資料番号」、「資料ＩＤ」に対応して、「資料名」、「ページ番号」、「ページデータ」が新規登録される。
【００４５】
そして、中央制御部１１は、操作部１８からページ指定操作が行われたか（ステップＤ４）、近距離通信部２０を介してＰＣ４からページ指定信号を受信したかを判別する（ステップＤ６）。ここで、ページ指定操作は、スクリーン３上に投影されているページデータと同じデータを表示部１７に表示させるための操作であり、スクリーン３上のページデータはどの資料の何ページ目のデータかを確認したユーザは、そのデータを指定するためのページ指定操作を行う。中央制御部１１は、この操作に応答して（ステップＤ４でＹＥＳ）、照射制御処理を実行する（ステップＤ５）。
【００４６】
また、ＰＣ４からのページ指定信号は、スクリーン３上のページデータと同じデータをＰＣ４に連動して表示部１７に自動的に表示させるために、どの資料の何ページ目のデータであるかを示す信号であり、中央制御部１１は、ＰＣ４からページ指定信号を受信すると（ステップＤ６でＹＥＳ）、中央制御部１１は、照射制御処理を実行する（ステップＤ５）。なお、終了操作が行われた際には（ステップＤ７でＹＥＳ）、このフローの終了となり、レーザポインタ機能が解除される。
【００４７】
図１１は、照射制御処理（図１０のステップＤ５）を詳述するためのフローチャートである。
先ず、中央制御部１１は、ユーザ操作あるいはＰＣ４からの信号によって指定されたページ内容を照射制御テーブルＣＴから読み出して表示部１７に表示させる（ステップＥ１）。これによって、スクリーン３上に投影されている１ページ分のデータと同一のデータが表示部１７に表示出力されることになる。そして、照射制御テーブルＣＴを参照し、指定された図データに対応して照射種ＩＤが記憶されているかを調べ（ステップＥ２）、記憶されていれば、この照射種ＩＤを読み出し（ステップＥ３）、この照射種に応じて光照射部１９を制御すると共に （ステップＥ４）、その種類に対応する照射種指定キーＫ３を点灯させて現在設定されている照射種を明示する（ステップＥ５）。
【００４８】
そして、中央制御部１１は、自動照射フラグＦＧを参照し、その“ＯＮ／ＯＦＦ”をチェックし（ステップＥ６）、それが“ＯＮ”されていれば、光照射部１９から照射種ＩＤに応じたスポット光を自動照射させるが（ステップＥ７）、“ＯＦＦ”されていれば（ステップＥ６でＮＯ）、ユーザ操作の待ち状態となる（ステップＥ８）。ここで、レーザ照射キーＫ２が操作されると、照射種ＩＤに応じたスポット光を照射させる（ステップＥ７）。
一方、指定ページデータに対応して照射種ＩＤが記憶されていなければ（ステップＥ２でＮＯ）、所望する照射種を指定すべきことを促すメッセージを表示出力させ（ステップＥ９）、それに応答して何れかの照射種指定キーＫ３が操作されたときには（ステップＥ１０でＹＥＳ）、今回指定された照射種ＩＤを当該ページデータに対応して新規設定（記憶）する（ステップＥ１１）。そして、ステップＥ３に移り、今回指定の照射種ＩＤを読み出し、以下、上述と同様の動作が行われる。
【００４９】
以上のように、この第２実施例においては、照射対象をページ単位としたが、上述した第１実施例と同様の効果を有し、スポット光を照射する際に、手元で照射対象のデータを確認することができるほか、どのような光を照射するかをユーザ自身が毎回判断することなく、照射対象毎に適切な光を照射することができ、同じ資料を使って何回もプレゼンテーションを繰り返えしたとしても、前回と同様の照射制御が可能となる。その他も第１実施例と同様の効果を有する。
上述した第２実施例においては、図９で「ページデータ」として１ページ分全体のデータを記憶したが、１ページ分全体のデータを別のテーブルに記憶し、その記憶されている１ページ分全体のデータを識別する識別情報（記憶されている場所を示す記憶アドレスや１ページ分全体のデータに一意に付加されたＩＤなど）を図９の「ページデータ」として記憶するようにしてもよい。
【００５０】
なお、上述した各実施例においては、ＰＣ４との間で近距離通信を介してプレゼンテーション用の資料データ（図データ／ページデータ）を受信取得するようにしたが、ＰＣ４から外部記憶媒体１４を介して資料データを取得するようにしてもよいし、無線通信送受信部１６を介した無線通信で資料データを取得するようにしてもよい。また、上述した各実施例においては、資料データを照射制御テーブルＣＴに記憶管理するようにしたが、照射制御テーブルＣＴには、図データ／ページデータを識別するためのデータ識別情報として「資料ＩＤ」＋「ページ番号」＋「図番号」あるいは「資料ＩＤ」＋「ページ番号」を記憶しておき、図データ／ページデータは、必要に応じてＰＣ４から取得するようにしてもよい。すなわち、スクリーン３上にデータが表示された際に、ＰＣ４からそれと同じデータを受信取得して表示部１７に表示させるようにしてもよい。
【００５１】
上述した各実施例においては、スクリーン３上に投影されている図データ／ページデータと同一のデータを携帯電話装置１側の表示部１７に案内表示させたが、図データ／ページデータを識別するためのデータ識別情報を表示部１７に案内表示させるようにしてもよい。すなわち、「資料ＩＤ」＋「ページ番号」＋「図番号」からなる図データ識別情報を実際の図データに代わって表示部１７に表示させ、また、「資料ＩＤ」＋「ページ番号」からなるページデータ識別情報を実際のページデータに代わって表示部１７に表示させるようにしてもよい。これによって、実際のデータを表示する場合に比べて視読性がよくなり、画面サイズが小さい携帯電話装置１にも適用可能となる。
【００５２】
上述した各実施例においては、スクリーン３上のデータと同じデータをＰＣ４に連動して表示部１７に自動的に表示させるために、ＰＣ４からデータ指定信号（図指定信号／ページ指定信号）を受信するようにしたが、スクリーン３上のデータを切り替え表示させる際に、それに連動してＰＣ４からの切り替え信号を受信するようにしてもよい。この場合、プレゼンテーション開始時に、スクリーン３上に最初のデータが表示された際に、ユーザ操作によってそのデータを指定して表示部１７に表示させておけば、それ以降は、ＰＣ４からの切り替え信号を受信するようにすればよい。これによってスクリーン３上のデータと同じデータをＰＣ４に連動して表示部１７に自動的に表示させることができる。
【００５３】
その他、照射種としては、光の形状・色・点滅パターンに限らず、照度などを変化させるようにしてもよい。また、レーザポインタ機能付き携帯電話装置に限らず、例えば、レーザポインタ機能付きＰＤＡ・電子カメラ・電子腕時計・音楽再生機などの携帯端末装置であっても同様に適用可能である。また、携帯端末装置に限らず、表示部付のレーザポインタ自体であっても勿論適用可能である。更に、レーザ光以外の発光手段を備えポインタであってもよい。
【図面の簡単な説明】
【００５４】
【図１】ポインティング装置としてレーザポインタ機能を備えた携帯電話装置１に適用した場合におけるプロジェクタシステムを示したシステム構成図。
【図２】レーザポインタ機能付き携帯電話装置１の基本的な構成要素を示したブロック図。
【図３】照射制御テーブルＣＴを説明するための図。
【図４】照射種テーブルＫＴを説明するための図。
【図５】操作部１８上に配置されている各キーのうちその一部を示し、携帯電話装置１をレーザポインタとして使用している場合における各キーの機能を説明するための図。
【図６】メニューキーＫ１によって「レーザポインタ」が選択指定された際に実行開始されるレーザポインタ機能の全体動作を示したフローチャート。
【図７】記録モード処理（図６のステップＡ７）を詳述するためのフローチャート。
【図８】再生モード処理（図６のステップＡ９）を詳述するためのフローチャート。
【図９】第２実施例における照射制御テーブルＣＴを説明するための図。
【図１０】第２実施例においてレーザポインタ機能の全体動作を示したフローチャート。
【図１１】照射制御処理（図１０のステップＤ５）を詳述するためのフローチャート。
【符号の説明】
【００５５】
１  レーザポインタ機能付き携帯電話装置
２  プロジェクタ
３  スクリーン
４  ＰＣ
１１  中央制御部
１２  ＲＯＭ
１６  無線通信送受信部
１７  表示部
１８  操作部
１９  光照射部
２０  近距離通信部
ＣＴ  照射制御テーブル
ＫＴ  照射種テーブル
ＦＧ  自動照射フラグ
Ｋ１  メニューキー
Ｋ２  レーザ照射キー
Ｋ３  照射種指定キー
Ｋ４  カーソルキー
Ｋ５  決定キー
【図１】
2008129219.tif 000003
【図２】
2008129219.tif 000004
【図３】
2008129219.tif 000005
【図４】
2008129219.tif 000006
【図５】
2008129219.tif 000007
【図６】
2008129219.tif 000008
【図７】
2008129219.tif 000009
【図８】
2008129219.tif 000010
【図９】
2008129219.tif 000011
【図１０】
2008129219.tif 000012
【図１１】
2008129219.tif 000013